【手続補正書】
【提出日】平成20年10月1日(2008.10.1)
【手続補正１】
【補正対象書類名】明細書
【補正対象項目名】特許請求の範囲
【補正方法】変更
【補正の内容】
【特許請求の範囲】
【請求項１】  転がり軸受ユニットに、少なくともこの転がり軸受ユニットの回転状態を検出する為の回転検出装置を組み付けて成り、このうちの転がり軸受ユニットは、静止輪と、この静止輪と同心に配置された回転輪と、これら静止輪と回転輪との互いに対向する周面に形成した静止側軌道と回転側軌道との間に設けられた複数個の転動体と、上記静止輪に支持されたシールケースと、このシールケースの周面と上記回転輪と共に回転する部分の周面との間に設けられたシール手段とを備えたものであり、上記回転検出装置は、上記回転輪と共に回転する部分にこの回転輪と同心に支持されたエンコーダと、回転しない部分に支持されて、その検出部をこのエンコーダに対向させた回転検出センサとを備えたものである回転検出装置付転がり軸受ユニットに於いて、この回転検出センサを保持したセンサホルダをセンサケース内に抱持する事によりセンサユニットを構成しており、このセンサケースは、本体と蓋体とから成るもので、このうちの本体は、外方が開口した矩形箱状の収納部と、この収納部の底板部を円周方向に延長する状態で形成した取付フランジ部とを有し、これら底板部及び取付フランジ部のうちで上記シールケースの外周面に対向する面は、この外周面と曲率半径が一致する円弧状凹面であり、上記センサケースは、上記センサホルダを上記収納部に収納した状態で、上記蓋体によりこの収納部の外方開口を塞いでおり、上記センサユニットは上記シールケースに対して、上記取付フランジ部をこのシールケースに結合する事により固定されている事を特徴とする回転検出装置付転がり軸受ユニット。
【請求項２】  センサケースを構成する本体及び蓋体は、それぞれ非磁性金属材料を鋳造する事により造られたものである、請求項１に記載した回転検出装置付転がり軸受ユニット。
【請求項３】  センサホルダ内に、回転検出センサに加えて、温度センサと振動センサとのうちから選択される少なくとも一種のセンサを保持した、請求項１〜２のうちの何れか１項に記載した回転検出装置付転がり軸受ユニット。
【手続補正２】
【補正対象書類名】明細書
【補正対象項目名】００１６
【補正方法】変更
【補正の内容】
【００１６】
【課題を解決するための手段】
本発明の回転検出装置付転がり軸受ユニットは、前述した従来から知られている回転検出装置付転がり軸受ユニットと同様に、転がり軸受ユニットに、少なくともこの転がり軸受ユニットの回転状態を検出する為の回転検出装置を組み付けて成る。
このうちの転がり軸受ユニットは、静止輪と、この静止輪と同心に配置された回転輪と、これら静止輪と回転輪との互いに対向する周面に形成した静止側軌道と回転側軌道との間に設けられた複数個の転動体と、上記静止輪に支持されたシールケースと、このシールケースの周面と上記回転輪と共に回転する部分の周面との間に設けられたシール手段とを備えたものである。
又、上記回転検出装置は、上記回転輪と共に回転する部分にこの回転輪と同心に支持されたエンコーダと、回転しない部分に支持されて、その検出部をこのエンコーダに対向させた回転検出センサとを備えたものである。
【手続補正３】
【補正対象書類名】明細書
【補正対象項目名】００１７
【補正方法】変更
【補正の内容】
【００１７】
特に、本発明の回転検出装置付転がり軸受ユニットに於いては、上記回転検出センサを保持したセンサホルダをセンサケース内に抱持する事によりセンサユニットを構成している。このセンサケースは、本体と蓋体とから成るもので、このうちの本体は、外方が開口した矩形箱状の収納部と、この収納部の底板部を円周方向に延長する状態で形成した取付フランジ部とを有する。又、これら底板部及び取付フランジ部のうちで上記シールケースの外周面に対向する面は、この外周面と曲率半径が一致する円弧状凹面としている。そして、上記センサケースは、上記センサホルダを上記収納部に収納した状態で、上記蓋体によりこの収納部の外方開口を塞いでいる。更に、上記センサユニットは上記シールケースに対して、上記取付フランジ部をこのシールケースに結合する事により固定されている。
【手続補正４】
【補正対象書類名】明細書
【補正対象項目名】００１９
【補正方法】変更
【補正の内容】
【００１９】
【発明の実施の形態】
図１〜５は、請求項１〜３に対応する、本発明の実施の形態の第１例を示している。尚、本例の特徴は、請求項に記載した回転軸である車軸１の回転速度を検出する為の回転検出センサ２７ａと、この車軸１を回転自在に支持する転がり軸受ユニットである複列円すいころ軸受３の温度を検出する為の温度センサ２９ａと、この複列円すいころ軸受３の振動を検出する為の、加速度センサ等の振動センサ３３とを、センサユニット４３を介してシールケース１７ａに支持固定する事で、前述した従来構造が有する問題を解消する点にある。以下、この様な特徴部分を含む、本発明の回転検出装置付転がり軸受ユニットの構成に就いて説明する。
【手続補正５】
【補正対象書類名】明細書
【補正対象項目名】００２４
【補正方法】変更
【補正の内容】
【００２４】
一方、上記外輪４の両端部には、それぞれ軟鋼板等の金属板を断面クランク形で全体を略円筒状に形成して成るシールケース１７ａ、１７ｂの基端部を内嵌固定している。そして、これら両シールケース１７ａ、１７ｂの中間部先端寄り部分の内周面と上記各環状部材１２ａ、１２ａの中間部外周面との間に、それぞれ請求項に記載したシール手段であるシールリング１８、１８を設ける事により、前記複数個の円すいころ６、６を設置した空間４１の両端開口部を塞いでいる。この構成により、この空間４１の内外を遮断して、この空間４１内に封入した潤滑用のグリースが外部に漏洩するのを防止すると共に、外部から上記空間４１内に雨水や塵芥等の異物が進入するのを防止している。尚、上記シールケース１７ａの外周面の２箇所位置に結合凸部４２、４２を突設する事により、このシールケース１７ａが軸受箱２ａに対し回転する事を防止している。即ち、上記係合凸部４２、４２と軸受箱２ａの両端部下面との係合により、シールケース１７ａの回転を防止している。
【手続補正６】
【補正対象書類名】明細書
【補正対象項目名】００２５
【補正方法】変更
【補正の内容】
【００２５】
又、上記１対のシールケース１７ａ、１７ｂのうち、上記車軸１の外端寄りのシールケース１７ａの中間部基端寄り部分に、センサユニット４３の一部を挿通する為の通孔４４を形成している。このセンサユニット４３は、センサケース４５内にセンサホルダ４６を抱持して成る。このうちのセンサホルダ４６は、エポキシ樹脂等のモールド材により造ったもので、直方体状の主部４７の内側面中央部に、柱状の凸部４８を突設して成る。この様なセンサホルダ４６内には、前記回転検出センサ２７ａと、前記温度センサ２９ａと、前記振動センサ３３とを、包埋支持している。このうちの回転検出センサ２７ａは上記凸部４８の先端部に、検出部をこの凸部４８の側面に位置させた状態で包埋支持している。これに対して、上記温度センサ２９ａは、上記シールケース１７ａの温度検出を効率良く行なえる様にすべく上記凸部４８の中間部基端寄り部分に、上記振動センサ３３は、上記シールケース１７ａの振動を効率良く検出自在とすべく上記主部４７内に、それぞれ包埋支持している。
【手続補正７】
【補正対象書類名】明細書
【補正対象項目名】００３０
【補正方法】変更
【補正の内容】
【００３０】
上述の様にして上記センサユニット４３を上記シールケース１７ａに対し支持固定した状態で、前記回転検出センサ２７ａの検出部は、前記エンコーダ１９ａの片側面の外径寄り半部（図１、３の左側面下半部）に、軸方向に関する微小隙間を介して対向する。又、前記温度センサ２９ａは、上記センサケース４５に形成した通孔４４の内側部分に位置し、前記振動センサ３３は、この通孔４４よりも径方向外側に位置する。又、これら各センサ２７ａ、２９ａ、３３の出力信号を取り出して図示しない制御器に送る為のハーネスは、１本のケーブル５９にまとめた状態で、前記蓋体５０に設けた結合筒部６０から導出している。尚、本例の場合には、上記回転検出センサ２７ａの検出部を、上記エンコーダ１９ａの片側面外径寄り半部に対向させているが、この検出部をこのエンコーダ１９ａの外周縁に対向させる構成とする事もできる。
【手続補正８】
【補正対象書類名】明細書
【補正対象項目名】００４６
【補正方法】変更
【補正の内容】
【００４６】
次に、図１０〜１１も、請求項１〜３に対応する、本発明の実施の形態の第２例を示している。本例の場合には、センサユニット４３ａの装着位置に対応してシールケース１７ａに形成した通孔４４が、請求項に記載したシール手段であるシールリング１８を挟んで、このシールケース１７ａの軸方向に関し、円すいころ６、６を設置した部分と反対側に存在する。即ち、本例の場合には、上記シールリング１８を、上記シールケース１７ａの中間部基端寄り部分の内周面と、環状部材１２ｂの基端寄り部分の外周面との間に設けている。又、この環状部材１２ｂの先端寄り部分に、エンコーダ１９ｂを外嵌固定している。このエンコーダ１９ｂは、鋼等の磁性金属を外歯歯車状に形成したもので、外周面には多数の凸部が、円周方向に亙って等間隔に存在する。従って、上記エンコーダ１９ｂの外周面の磁気特性は、円周方向に関して交互に、且つ等間隔で変化している。